(57)【要約】【課題】  配線作業又は配線の交換作業を迅速且つ簡単に行うことが可能な係合構造を有する端子台を提供する。【解決手段】  係合構造を有する端子台は、本体と、導電端子と、金属板ばねと、押込みブロックとを含む。本体は、収容溝と、ケーブル挿通孔と、押込み孔と、押込み孔と隣り合う係止フック部材とを備える。ケーブル挿通孔及び押込み孔は、それぞれ、収容溝に連通され、係止フック部材は、本体に弾性的に接続される。導電端子は、収容溝内に設けられ、本体から突出する一対のピンを有する。金属板ばねは、収容溝内に設けられ、導電端子に接触される当接端部と、収容溝内に弾性的に設けられる自由端部とを有する。押込みブロックは、押込み孔に可動自在に収容され、金属板ばねの自由端部を押し付けるとともに、係止フック部材と係合する。【選択図】図６
2017091773.tif 000002
【特許請求の範囲】
【請求項１】
芯線（１２）を有するケーブル（１０）と組合わせて用いられる、係合構造を有する端子台（１００）であって、
本体（１１０）と、導電端子（２００）と、金属板ばね（３００）と、押込みブロック（１７０）とを含み、
前記本体（１１０）は、収容溝（１２０）と、ケーブル挿通孔（１３０）と、押込み孔（１４０）と、当該押込み孔（１４０）と隣り合う係止フック部材（１５０）とを備え、
前記ケーブル挿通孔（１３０）及び前記押込み孔（１４０）は、それぞれ、前記収容溝（１２０）に連通され、
前記係止フック部材（１５０）は、前記本体（１１０）に弾性的に接続され、
前記導電端子（２００）は、前記収容溝（１２０）内に設けられ、前記本体（１１０）から突出する一対のピン（２１０）を有し、
前記金属板ばね（３００）は、前記収容溝（１２０）内に設けられ、前記導電端子（２００）に接触される当接端部（３１０）と、前記収容溝（１２０）内に弾性的に設けられる自由端部（３２０）とを有し、
前記押込みブロック（１７０）は、前記押込み孔（１４０）に可動自在に収容され、前記金属板ばね（３００）の前記自由端部（３２０）を押し付けるとともに、前記係止フック部材（１５０）と係合することを特徴とする係合構造を有する端子台。
【請求項２】
前記本体（１１０）は、前記収容溝（１２０）内に固定され、前記導電端子（２００）を位置決めする受けブロック（１６０）をさらに含むことを特徴とする請求項１に記載の係合構造を有する端子台。
【請求項３】
前記受けブロック（１６０）の一側面は、前記当接端部（３１０）のずれを規制するために、前記当接端部（３１０）の形状に対応するように設けられることを特徴とする請求項２に記載の係合構造を有する端子台。
【請求項４】
前記係止フック部材（１５０）は、延伸ロッド（１５２）と、当該延伸ロッド（１５２）に接続されるフック部（１５４）とを有し、
前記押込みブロック（１７０）の一側には、前記フック部（１５４）に係合するための係止部（１７２）が形成されることを特徴とする請求項１に記載の係合構造を有する端子台。
【請求項５】
前記フック部（１５４）は、第１斜面（１５６）を有し、
前記押込みブロック（１７０）は、前記第１斜面（１５６）に対向する第２斜面（１７８）を有することを特徴とする請求項４に記載の係合構造を有する端子台。
【請求項６】
前記押込みブロック（１７０）は、間隔をおいて形成される２つの係止部（１７２）と、当該２つの係止部（１７２）の間に位置する傾斜溝（１７４）とを有し、
前記係止フック部材（１５０）は、延伸ロッド（１５２）と、当該延伸ロッド（１５２）に接続される２つのフック部（１５４）とを有し、
各前記係止部（１７２）は、各前記フック部（１５４）に対向して配置されるとともに、各前記フック部（１５４）に係合することを特徴とする請求項１に記載の係合構造を有する端子台。
【請求項７】
前記係止フック部材（１５０）は、Ｔ型構造であり、
各前記フック部（１５４）は、前記Ｔ型構造のヘッド部の両端に配置されることを特徴とする請求項６に記載の係合構造を有する端子台。
【請求項８】
前記押込みブロック（１７０）は、位置規制ブロック（１７６）をさらに有し、
前記係止フック部材（１５０）は、前記位置規制ブロック（１７６）に対向するコンタクトブロック（１５８）をさらに有することを特徴とする請求項６に記載の係合構造を有する端子台。
【請求項９】
前記係止フック部材（１５０）の前記延伸ロッド（１５２）は、前記コンタクトブロック（１５８）と２つの前記フック部（１５４）との間に配置される階段状ブロック（１５１）を有し、
前記コンタクトブロック（１５８）は、前記階段状ブロック（１５１）よりも前記押込み孔（１４０）に向かって突出して設けられることを特徴とする請求項８に記載の係合構造を有する端子台。
【請求項１０】
前記係止フック部材（１５０）は、延伸ロッド（１５２）と、当該延伸ロッド（１５２）に形成される係止孔（１５９）とを有し、
前記押込みブロック（１７０）の一側には、前記係止孔（１５９）に係合するための係止部（１７２）が形成されることを特徴とする請求項１に記載の係合構造を有する端子台。
【請求項１１】
前記押込みブロック（１７０）は、位置規制ブロック（１７６）をさらに有し、
前記係止フック部材（１５０）は、前記位置規制ブロック（１７６）に対向するコンタクトブロック（１５８）をさらに有することを特徴とする請求項１０に記載の係合構造を有する端子台。
【請求項１２】
複数の組立孔（１９２）を有する側蓋体（１９０）をさらに含み、
前記本体（１１０）は、複数の前記組立孔（１９２）に組立てるための、突出して設けられる複数の組立柱（１８０）をさらに備えることを特徴とする請求項１に記載の係合構造を有する端子台。
【発明の詳細な説明】
【技術分野】
【０００１】
本発明は、端子台に関し、特に、配線作業又は配線の交換作業を迅速且つ簡単に行うことが可能な係合構造を有する端子台に関する。
【背景技術】
【０００２】
接続部材としては、一般に、電子装置において、信号を伝送するように信号線を接続するための端子構造が挙げられる。言い換えれば、このような電子装置においては、異なる電子部品の間に信号を伝送する必要がある。即ち、電子装置では、異なる電子部品の間に信号を伝送するため、異なる電子部品の信号線を互いに接続させなければならないようになっている。
【発明の概要】
【発明が解決しようとする課題】
【０００３】
しかしながら、従来の端子台構造を用いて配線作業を行う際、片手でドライバー（又はドライバーに類似した手工具）を用いて押込みブロックを押さえながら、もう片方の手でケーブルを挿設する必要があるため、このような配線方法は、配線者に不便を強いることになる。特に、一列の端子台に対して配線又は配線の交換を行う際、省力化又は補助構造を有するように設計されていないため、配線するのに非常に不便であり、手間がかかるという問題がある。
【０００４】
前述した従来の端子台の配線作業の欠点を改善するため、本発明は係合構造を有する端子台を提供することにより、従来技術の問題を克服する。
【０００５】
本発明の目的は、ケーブルの配線作業又は配線の交換作業を迅速且つ簡単に行うことが可能な係合構造を有する端子台を提供することである。
【０００６】
本発明の他の目的は、両手を使用しなくとも配線作業又は配線の交換作業を行うことが可能な係合構造を有する端子台を提供することである。
【課題を解決するための手段】
【０００７】
本発明の前述の目的を達成するため、本発明の係合構造を有する端子台は、芯線を有するケーブルと組合わせて用いられる。端子台は、本体と、導電端子と、金属板ばねと、押込みブロックとを含む。本体は、収容溝と、ケーブル挿通孔と、押込み孔と、押込み孔と隣り合う係止フック部材とを備える。ケーブル挿通孔及び押込み孔は、それぞれ、収容溝に連通され、係止フック部材は、本体に弾性的に接続される。導電端子は、収容溝内に設けられ、本体から突出する一対のピンを有する。金属板ばねは、収容溝内に設けられ、導電端子に接触される当接端部と、収容溝内に弾性的に設けられる自由端部とを有する。押込みブロックは、押込み孔に可動自在に収容され、金属板ばねの自由端部を押し付けるとともに、係止フック部材と係合する。
【０００８】
本発明において、好ましくは、本体は、前記収容溝内に固定され、前記導電端子を位置決めする受けブロックをさらに含む。
【０００９】
本発明において、好ましくは、係止フック部材は、延伸ロッドと、当該延伸ロッドに接続されるフック部とを有し、前記押込みブロックの一側には、前記フック部に係止するための係止部が形成される。
【発明の効果】
【００１０】
上述したように、本発明の係合構造を有する端子台によれば、両手を使用しなくとも配線作業又は配線の交換作業を迅速且つ簡単に行うことができる。
【図面の簡単な説明】
【００１１】
【図１】本発明の係合構造を有する端子台の第１の具体例を示す分解斜視図である。
【図２】本発明の係合構造を有する端子台の本体及び側蓋体を示す分解斜視図である。
【図３】本発明の係合構造を有する端子台を示す平面図である。
【図４】本発明の係合構造を有する端子台を示す断面図である。
【図５】本発明の押込み孔と係止フック部材との係合状態を示す断面図である。
【図６】本発明のケーブルの芯線が屈曲部及び金属板ばねにそれぞれ接触した状態を示す断面図である。
【図７】本発明の係止フック部材と押込み孔との係合状態を解除した状態を示す断面図である。
【図８】図７に示す係止フック部材と押込み孔との別の動作を示す断面図である。
【図９】本発明の係合構造を有する端子台の第２の具体例を示す分解斜視図である。
【図１０】本発明の係合構造を有する端子台の第２の具体例を示す斜視図である。
【図１１】本発明の係合構造を有する端子台の第３の具体例を示す要部拡大分解斜視図である。
【図１２】本発明の係合構造を有する端子台の第３の具体例を示す断面図である。
【図１３】本発明の係合構造を有する端子台の第３の具体例の別の動作を示す断面図である。
【図１４】本発明の係合構造を有する端子台の第４の具体例を示す要部拡大分解斜視図である。
【図１５】本発明の係合構造を有する端子台の第４の具体例を示す断面図である。
【図１６】本発明の係合構造を有する端子台の第４の具体例の別の動作を示す断面図である。
【発明を実施するための形態】
【００１２】
本発明の詳細な説明及び技術内容について、図面を参照して以下に説明するが、図面は、ただ参考及び説明に用いるのみであり、本発明に制限を加えるものではない。
【００１３】
図１〜図５に示すように、本発明の係合構造を有する端子台１００は、芯線１２を有するケーブル１０と組合わせて用いられている。ここで、ケーブル１０は、一般的な電線、二重絶縁電線、又は他の好適な信号線などを含んでいる。端子台１００は、本体１１０と、導電端子２００と、金属板ばね３００と、押込みブロック１７０とを含んでいる。本体１１０は、収容溝１２０と、ケーブル挿通孔１３０と、押込み孔１４０と、押込み孔１４０と隣り合う係止フック部材１５０とを備えている。ケーブル挿通孔１３０及び押込み孔１４０は、それぞれ、収容溝１２０に連通され、係止フック部材１５０は、本体１１０に弾性的に接続されている。
【００１４】
銅又はその合金からなる導電端子２００は、収容溝１２０内に設けられ、本体１１０から突出する一対のピン２１０を有している。金属板ばね３００は、収容溝１２０内に設けられ、当接端部３１０と、自由端部３２０とを有している。図６を併せて参照すると、導電端子２００は、釘状体２２０をさらに有している。当接端部３１０は、釘状体２２０と位置決めをするための位置決め孔３１２を有している。これにより、当接端部３１０は、導電端子２００に接触し、自由端部３２０は、収容溝１２０内に弾性的に設けられることができる。
【００１５】
また、本体１１０は、受けブロック１６０をさらに含んでいる。受けブロック１６０は、収容溝１２０内に固定され、導電端子２００を位置決めするように設けられる。本実施例において、受けブロック１６０の一側面は、当接端部３１０のずれを規制するために、当接端部３１０の形状に対応するように設けられることが好ましい。本体１１０には、スロット１２２が形成されている。スロット１２２は、収容溝１２０に連通され、金属板ばね３００及び導電端子２００をそれぞれ収容している。図５及び図６の実施例に示すように、スロット１２２には、信号がスムーズに伝送されるように、金属板ばね３００及び導電端子２００が同時に係止して固定されることが好ましい。
【００１６】
特に、本実施例において、本体１１０には、一対の開溝１２４と、係止溝１２６がさらに形成されている。一対の開溝１２４は、スロット１２２に連通され、一対のピン２１０は、一対の開溝１２４により位置決めされるとともに、一対の開溝１２４からそれぞれ延出している。導電端子２００は、係止溝１２６に位置決めされる延伸部２４０と、収容溝１２０に収容される屈曲部２３０とを有している。延伸部２４０及び屈曲部２３０は、それぞれ、導電端子２００の両端に位置している。図８に示すように、屈曲部２３０は、芯線１２を係止して固定するための、収容溝１２０に向かうかえし部２３２を有している。
【００１７】
図４〜図６に示すように、押込みブロック１７０は、押込み孔１４０に可動自在に収容され、金属板ばね３００の自由端部３２０に押し付けて、係止フック部材１５０と係合することができる。本実施例において、本体１１０と一体に形成される係止フック部材１５０は、延伸ロッド１５２と、延伸ロッド１５２に接続されるフック部１５４とを有している。押込みブロック１７０の一側には、フック部１５４に係合するための係止部１７２が形成されている。フック部１５４は、第１斜面１５６を有し、押込みブロック１７０は、第１斜面１５６に対向する第２斜面１７８を有している。
【００１８】
押込みブロック１７０の係止部１７２がフック部１５４に当接して係合しようとする場合、第１斜面１５６は、第２斜面１７８により容易に押されて移動することにより、係止フック部材１５０は、弾性的に偏倚して係止部１７２に係合することができる。この時、押込みブロック１７０により金属板ばね３００の自由端部３２０が押し下げられた状態であるので、ケーブル１０の芯線１２は、ケーブル挿通孔１３０から容易に挿入して、自由端部３２０及び導電端子２００の屈曲部２３０にそれぞれ接触するようになっている。
【００１９】
図７に示すように、押込みブロック１７０を離すと、挿入された芯線１２は金属板ばね３００及び導電端子２００によって挟み込まれて、配線作業が完成する。誤配線が発生した場合、又は配線を交換する場合には、例えば、指やドライバーにより係止フック部材１５０を押して移動させて、フック部１５４を係止部１７２の規制から離脱させる必要がある。そうすると、図８に示すように、押込みブロック１７０が初期位置に戻し、芯線１２は、金属板ばね３００の自由端部３２０及び屈曲部２３０のかえし部２３２との間に挟まれて固定されることができる。
【００２０】
従って、本発明は、押込みブロック１７０と係止フック部材１５０との係合により、従来技術のように、片手で押込みブロック１７０を押さえながら、もう片方の手でケーブル１０を挿設する必要がなく、ケーブル１０の挿入操作（即ち、配線作業）の時短化、省力化、柔軟性を図ることができる。なお、ケーブル１０が全て挿設された後に誤配線を見つけた場合には、上述した構造によって間違って配線されたケーブル１０を簡単且つ素早く取り出して交換することが可能になる。
【００２１】
図９は、本発明の係合構造を有する端子台の第２の具体例を示す分解斜視図である。図１０は、本発明の係合構造を有する端子台の第２の具体例を示す斜視図である。本実施例では、複数の端子台１００及び１つの側蓋体１９０が組立てられている。図に示すように、側蓋体１９０の一側面には、複数の組立孔１９２が形成され、本体１１０の一側面には、複数の組立孔１９２に組立てるための、突出する複数の組立柱１８０が形成されている。各端子台１００の（複数の組立柱１８０が形成されている）一側面とは反対側の他の側面には、複数の組立柱１８０に対向する複数の組立孔（図示せず）が形成されているため、端子台１００が互いに重ねられて設けることができる。
【００２２】
上述した構成によれば、複数のケーブル１０を挿入する必要がある場合、押込みブロック１７０が係止フック部材１５０に係合することにより、各ケーブル１０を迅速且つ簡単に挿入ことができ、操作の時短化、省力化、柔軟性の向上を図ることができる。また、本実施例では、誤配線を見つけた場合、間違って配線されたケーブル１０を簡単且つ素早く取り出して交換することができる。
【００２３】
図１１〜図１３は、本発明の係合構造を有する端子台の第３の具体例を示す図である。図１１〜図１３を併せて参照すると、本実施例における押込みブロック１７０は、間隔をおいて形成される２つの係止部１７２と、２つの係止部１７２の間に位置する傾斜溝１７４とを有している。本体１１０の係止フック部材１５０は、延伸ロッド１５２と、延伸ロッド１５２に接続される２つのフック部１５４とを有している。各係止部１７２は、各フック部１５４に対向して配置されるとともに、各フック部１５４に係合することが可能である。
【００２４】
係止フック部材１５０は、Ｔ型構造であることが好ましい。各フック部１５４は、Ｔ型構造のヘッド部の両端に配置されている。押込みブロック１７０は、突出して設けられる位置規制ブロック１７６をさらに有し、係止フック部材１５０は、押込みブロック１７０が押込み孔１４０から収容溝１２０に向かってずれていくことを規制するために、位置規制ブロック１７６に対向するコンタクトブロック１５８をさらに有している。また、係止フック部材１５０の延伸ロッド１５２は、例えばドライバーなどの手工具が、押込み孔１４０又は収容溝１２０に深く入り過ぎることを規制又は防止するための階段状ブロック１５１を有している。階段状ブロック１５１は、コンタクトブロック１５８と２つのフック部１５４との間に配置され、コンタクトブロック１５８は、階段状ブロック１５１よりも押込み孔１４０に向かって突出して設けられている。
【００２５】
そのため、ケーブル（図示せず）が挿設された後に誤配線又は異常配線を見つけた場合には、例えばドライバーなどの手工具を傾斜溝１７４から挿入して、係止フック部材１５０の延伸ロッド１５２を押して移動させて、各係止部１７２を各フック部１５４の規制から離脱させて、押込みブロック１７０を退出させることにより、間違って配線されたケーブル１０を簡単且つ素早く取り出して交換することができる。
【００２６】
図１５〜図１６は、本発明の係合構造を有する端子台の第４の具体例を示す図である。図１５〜図１６を併せて参照すると、本実施例における係止フック部材１５０は、延伸ロッド１５２と、延伸ロッド１５２に形成される係止孔１５９とを有している。押込みブロック１７０の一側には、係止孔１５９に係合するための係止部１７２が形成されている。図１６に示すように、押込みブロック１７０は、位置規制ブロック１７６をさらに有し、係止フック部材１５０は、押込みブロック１７０が押込み孔１４０から収容溝１２０に向かってずれていくことを規制するために、位置規制ブロック１７６に対向するコンタクトブロック１５８をさらに有している。
【００２７】
従って、ケーブル（図示せず）が挿設された後に誤配線又は異常配線を見つけた場合には、指や手工具（例えば、ドライバー）を係止孔１５９に挿入して、係止部１７２を係止孔１５９の規制から離脱させて、押込みブロック１７０を退出させることにより、間違って配線されたケーブル１０を簡単且つ素早く取り出して交換することができる。
【００２８】
以上、本発明の好ましい具体的な実施例を説明したが、これによって本発明の特許請求の範囲が限定されるものではない。また、本発明の内容を応用してなされる等価な変更は、すべて本発明の範囲に含まれることはいうまでもない。
【符号の説明】
【００２９】
１０  ケーブル
１２  芯線
１００  端子台
１１０  本体
１２０  収容溝
１２２  スロット
１２４  開溝
１２６  係止溝
１３０  ケーブル挿通孔
１４０  押込み孔
１５０  係止フック部材
１５１  階段状ブロック
１５２  延伸ロッド
１５４  フック部
１５６  第１斜面
１５８  コンタクトブロック
１５９  係止孔
１６０  受けブロック
１７０  押込みブロック
１７２  係止部
１７４  傾斜溝
１７６  位置規制ブロック
１７８  第２斜面
１８０  組立柱
１９０  側蓋体
１９２  組立孔
２００  導電端子
２１０  ピン
２２０  釘状体
２３０  屈曲部
２３２  かえし部
２４０  延伸部
３００  金属板ばね
３１０  当接端部
３１２  位置決め孔
３２０  自由端部
【図１】
2017091773.tif 000003
【図２】
2017091773.tif 000004
【図３】
2017091773.tif 000005
【図４】
2017091773.tif 000006
【図５】
2017091773.tif 000007
【図６】
2017091773.tif 000008
【図７】
2017091773.tif 000009
【図８】
2017091773.tif 000010
【図９】
2017091773.tif 000011
【図１０】
2017091773.tif 000012
【図１１】
2017091773.tif 000013
【図１２】
2017091773.tif 000014
【図１３】
2017091773.tif 000015
【図１４】
2017091773.tif 000016
【図１５】
2017091773.tif 000017
【図１６】
2017091773.tif 000018
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
芯線（１２）を有するケーブル（１０）と組合わせて用いられる、係合構造を有する端子台（１００）であって、
本体（１１０）と、導電端子（２００）と、金属板ばね（３００）と、押込みブロック（１７０）とを含み、
前記本体（１１０）は、収容溝（１２０）と、ケーブル挿通孔（１３０）と、押込み孔（１４０）と、当該押込み孔（１４０）と隣り合う係止フック部材（１５０）とを備え、
前記ケーブル挿通孔（１３０）及び前記押込み孔（１４０）は、それぞれ、前記収容溝（１２０）に連通され、
前記係止フック部材（１５０）は、前記本体（１１０）に弾性的に接続され、
前記導電端子（２００）は、前記収容溝（１２０）内に設けられ、前記本体（１１０）から突出する一対のピン（２１０）を有し、
前記金属板ばね（３００）は、前記収容溝（１２０）内に設けられ、前記導電端子（２００）に接触される当接端部（３１０）と、前記収容溝（１２０）内に弾性的に設けられる自由端部（３２０）とを有し、
前記押込みブロック（１７０）は、前記押込み孔（１４０）に可動自在に収容され、前記金属板ばね（３００）の前記自由端部（３２０）を押し付けるとともに、前記係止フック部材（１５０）と係合し、間隔をおいて形成される２つの係止部（１７２）と、当該２つの係止部（１７２）の間に位置する傾斜溝（１７４）とを有し、
前記係止フック部材（１５０）は、延伸ロッド（１５２）と、当該延伸ロッド（１５２）に接続される２つのフック部（１５４）とを有し、
各前記係止部（１７２）は、各前記フック部（１５４）に対向して配置されるとともに、各前記フック部（１５４）に係合することを特徴とする係合構造を有する端子台。
【請求項２】
前記本体（１１０）は、前記収容溝（１２０）内に固定され、前記導電端子（２００）を位置決めする受けブロック（１６０）をさらに含むことを特徴とする請求項１に記載の係合構造を有する端子台。
【請求項３】
前記受けブロック（１６０）の一側面は、前記当接端部（３１０）のずれを規制するために、前記当接端部（３１０）の形状に対応するように設けられることを特徴とする請求項２に記載の係合構造を有する端子台。
【請求項４】
前記係止フック部材（１５０）は、延伸ロッド（１５２）と、当該延伸ロッド（１５２）に接続されるフック部（１５４）とを有し、
前記押込みブロック（１７０）の一側には、前記フック部（１５４）に係合するための係止部（１７２）が形成されることを特徴とする請求項１に記載の係合構造を有する端子台。
【請求項５】
前記フック部（１５４）は、第１斜面（１５６）を有し、
前記押込みブロック（１７０）は、前記第１斜面（１５６）に対向する第２斜面（１７８）を有することを特徴とする請求項４に記載の係合構造を有する端子台。
【請求項６】
前記係止フック部材（１５０）は、Ｔ型構造であり、
各前記フック部（１５４）は、前記Ｔ型構造のヘッド部の両端に配置されることを特徴とする請求項１に記載の係合構造を有する端子台。
【請求項７】
前記押込みブロック（１７０）は、位置規制ブロック（１７６）をさらに有し、
前記係止フック部材（１５０）は、前記位置規制ブロック（１７６）に対向するコンタクトブロック（１５８）をさらに有することを特徴とする請求項１に記載の係合構造を有する端子台。
【請求項８】
前記係止フック部材（１５０）の前記延伸ロッド（１５２）は、前記コンタクトブロック（１５８）と２つの前記フック部（１５４）との間に配置される階段状ブロック（１５１）を有し、
前記コンタクトブロック（１５８）は、前記階段状ブロック（１５１）よりも前記押込み孔（１４０）に向かって突出して設けられることを特徴とする請求項７に記載の係合構造を有する端子台。
【請求項９】
前記係止フック部材（１５０）は、延伸ロッド（１５２）と、当該延伸ロッド（１５２）に形成される係止孔（１５９）とを有し、
前記押込みブロック（１７０）の一側には、前記係止孔（１５９）に係合するための係止部（１７２）が形成されることを特徴とする請求項１に記載の係合構造を有する端子台。
【請求項１０】
前記押込みブロック（１７０）は、位置規制ブロック（１７６）をさらに有し、
前記係止フック部材（１５０）は、前記位置規制ブロック（１７６）に対向するコンタクトブロック（１５８）をさらに有することを特徴とする請求項９に記載の係合構造を有する端子台。
【請求項１１】
複数の組立孔（１９２）を有する側蓋体（１９０）をさらに含み、
前記本体（１１０）は、複数の前記組立孔（１９２）に組立てるための、突出して設けられる複数の組立柱（１８０）をさらに備えることを特徴とする請求項１に記載の係合構造を有する端子台。
【手続補正２】
【補正対象書類名】明細書
【補正対象項目名】０００７
【補正方法】変更
【補正の内容】
【０００７】
本発明の前述の目的を達成するため、本発明の係合構造を有する端子台は、芯線を有するケーブルと組合わせて用いられる。端子台は、本体と、導電端子と、金属板ばねと、押込みブロックとを含む。本体は、収容溝と、ケーブル挿通孔と、押込み孔と、押込み孔と隣り合う係止フック部材とを備える。ケーブル挿通孔及び押込み孔は、それぞれ、収容溝に連通され、係止フック部材は、本体に弾性的に接続される。導電端子は、収容溝内に設けられ、本体から突出する一対のピンを有する。金属板ばねは、収容溝内に設けられ、導電端子に接触される当接端部と、収容溝内に弾性的に設けられる自由端部とを有する。押込みブロックは、押込み孔に可動自在に収容され、金属板ばねの自由端部を押し付けるとともに、係止フック部材と係合し、間隔をおいて形成される２つの係止部と、当該２つの係止部の間に位置する傾斜溝とを有する。係止フック部材は、延伸ロッドと、当該延伸ロッドに接続される２つのフック部とを有する。各係止部は、各フック部に対向して配置されるとともに、各フック部に係合する。